【手続補正書】
【提出日】平成20年7月18日(2008.7.18)
【手続補正１】
【補正対象書類名】特許請求の範囲
【補正対象項目名】全文
【補正方法】変更
【補正の内容】
【特許請求の範囲】
【請求項１】
分析カラムと流体的に連絡したアフィニティーカラムを備えている装置であって、該アフィニティーカラムが最高約２００バールのカラムの圧力に耐え得る硬質の支持体を含み、該硬質の支持体はそれに結合した１種またはそれ以上のリガンドを有し、該１種またはそれ以上のリガンドは与えられた試料溶液の内部で１種またはそれ以上の被検体と選択的に結合することができることを特徴とする、上記装置。
【請求項２】
硬質の支持体が多数の無機粒子を含むことを特徴とする請求項１記載の装置。
【請求項３】
各無機粒子が（ｉ）無機基質、および（ｉｉ）望ましくない物質の該無機基質に対する不特異的な結合を減少させるように修飾された基質表面を備えることを特徴とする請求項２記載の装置。
【請求項４】
修飾された基質の表面が無機基質に取り付けられた１種またはそれ以上のＲ10基を含んで成り、各Ｒ10基は独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする請求項３記載の装置。
【請求項５】
各Ｒ10基が−ＣＨ2ＯＨを含むことを特徴とする請求項４記載の装置。
【請求項６】
１種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組合せ物を含むことを特徴とする請求項１記載の装置。
【請求項７】
１種またはそれ以上の被検体がアフラトキシンＢ１、アフラトキシンＧ１、アフラトキシンＱ１、アフラトキシンＢ２、アフラトキシンＧ２、ビスフェノールＡ、２，４−ジクロロフェノキシ酢酸、２，４，５−トリクロロフェノキシ酢酸、４−クロロ−２−メチル酢酸、４−（２，４−ジクロロフェノキシ）酪酸、エストロン、１７−β−エストラジオール、１７−α−エチニルエストラジオール、ラクトフェリン、テストステロン、ノルテストステロン、メトブロムロン、シノスルフロン、トリアスルフロンおよびプロスルフロン、ビンクロゾリン、葉酸、ビタミンＢ12（シアノコバラミン）、フェニトロチオン、クロルピリフォス、ピリミフォス、アドレナリン、ノルアドレナリン、ドーパミン、エストロゲン活性をもった化合物、或いはそれらの組み合わせ物を含むことを特徴とする請求項１記載の装置。
【請求項８】
１種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、或いはそれらの組み合わせ物を含むことを特徴とする請求項１記載の装置。
【請求項９】
１種またはそれ以上のリガンドがモノクローナル抗葉酸抗体、モノクローナル抗ビタミンＢ12（シアノコバラミン）抗体、或いはそれらの組み合わせ物を含むことを特徴とする請求項１記載の装置。
【請求項１０】
１種またはそれ以上のリガンドが組換えヒト・エストロゲン受容体（ｈＥＲ）を含んで成ることを特徴とする請求項１記載の装置。
【請求項１１】
アフィニティーカラムが管状の連結装置で分析カラムに連結されていることを特徴とする請求項１記載の装置。
【請求項１２】
分析カラムが逆相高圧液体クロマトグラフ（ＲＰ−ＨＰＬＣ）装置の分析カラムの一部をなしていることを特徴とする請求項１記載の装置。
【請求項１３】
さらに蛍光検出装置を備えていることを特徴とする請求項１２記載の装置。
【請求項１４】
硬質の支持体が多数のシリカゲル粒子を含むことを特徴とする請求項１記載の装置。
【請求項１５】
シリカゲル粒子が、回転楕円体状の形をし、細孔の平均の大きさが約５００〜８００Åであることを特徴とする請求項１４記載の装置。
【請求項１６】
アフィニティーカラムに使用するのに適した硬質の支持体であって、該硬質の支持体が多数の無機粒子を含んで成り、ここで各粒子は  無機基質；
被検体でない物質およびリガンド特異性被検体物質の無機基質に対する非特異的な結合を減少させるように修飾された基質表面；および
無機基質に結合した１種またはそれ以上のリガンドを含んで成り、該１種またはそれ以上のリガンドはモノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組合せ物を含むことを特徴とする硬質の支持体。
【請求項１７】
修飾された基質の表面が無機基質に取り付けられた１種またはそれ以上のＲ10基を含んで成り、各Ｒ10基は独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする請求項１６記載の硬質の支持体。
【請求項１８】
１種またはそれ以上のＲ10基が２価の部分−Ｘ−を介して無機基質に取り付けられていることを特徴とする請求項１７記載の硬質の支持体。
【請求項１９】
１種またはそれ以上のリガンドが、無機基質上の反応部位と１種またはそれ以上のリガンド上の官能基との間に連結をつくる一つまたはそれ以上の連結子を介して無機基質に取り付けられていることを特徴とする請求項１６記載の硬質の支持体。
【請求項２０】
一つまたはそれ以上の連結子がジアルデヒドと組み合わされたアミノ置換シロキサンを含むことを特徴とする請求項１９記載の硬質の支持体。
【請求項２１】
アミノ置換シロキサンがアミノプロピルトリメトキシシランを含んで成り、ジアルデヒドはグルタルアルデヒドを含むことを特徴とする請求項２０記載の硬質の支持体。
【請求項２２】
１種またはそれ以上のリガンドは無機基質上の反応部位に直接取り付けられていることを特徴とする請求項１６記載の硬質の支持体。
【請求項２３】
修飾された基質の表面が反応部位を含んで成り、該反応部位の約５０〜約９９％は修飾を行う前の基質の表面上のどの官能基よりも反応性の低いＲ基で覆われており、該反応部位の約１〜約５０％は１種またはそれ以上のリガンドまたは随時存在する連結子で覆われていることを特徴とする請求項１６記載の硬質の支持体。
【請求項２４】
反応部位の約７０〜約９５％が修飾を行う前の基質の表面上のどの官能基よりも反応性の低いＲ基で覆われており、該反応部位の約５〜約３０％は１種またはそれ以上のリガンドまたは随時存在する連結子で覆われていることを特徴とする請求項２３記載の硬質の支持体。
【請求項２５】
１種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、或いはそれらの組み合わせ物を含むことを特徴とする請求項１６記載の硬質の支持体。
【請求項２６】
１種またはそれ以上のリガンドがモノクローナル抗葉酸抗体、モノクローナル抗ビタミンＢ12（シアノコバラミン）抗体、或いはそれらの組み合わせ物を含むことを特徴とする請求項１６記載の硬質の支持体。
【請求項２７】
１種またはそれ以上のリガンドが組換えヒト・エストロゲン受容体（ｈＥＲ）を含むことを特徴とする請求項１６記載の硬質の支持体。
【請求項２８】
硬質の支持体が多数のシリカゲルの粒子を含むことを特徴とする請求項１６記載の硬質の支持体。
【請求項２９】
シリカゲルの粒子が回転楕円体状の形をし、細孔の平均の大きさが約５００〜８００Åであることを特徴とする請求項２８記載の硬質の支持体。
【手続補正２】
【補正対象書類名】明細書
【補正対象項目名】０１５２
【補正方法】変更
【補正の内容】
【０１５２】
以上本明細書においては特定の具体化例について詳細な説明を行ったが、本発明の主たる特徴または態様について以下に列挙しておく。
１．  分析カラムと流体的に連絡したアフィニティーカラムを備えている装置であって、該アフィニティーカラムが最高約２００バールのカラムの圧力に耐え得る硬質の支持体を含み、該硬質の支持体はそれに結合した１種またはそれ以上のリガンドを有し、該１種またはそれ以上のリガンドは与えられた試料溶液の内部で１種またはそれ以上の被検体と選択的に結合することができることを特徴とする、上記装置。
２．  硬質の支持体が多数の無機粒子を含むことを特徴とする上記１記載の装置。
３．  各無機粒子が（ｉ）無機基質、および（ｉｉ）望ましくない物質の該無機基質に対する不特異的な結合を減少させるように修飾された基質表面を備えることを特徴とする上記２記載の装置。
４.  修飾された基質の表面が無機基質に取り付けられた１種またはそれ以上のＲ10基を含んで成り、各Ｒ10基は独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする上記３記載の装置。
５．  各Ｒ10基が−ＣＨ2ＯＨを含むことを特徴とする上記４記載の装置。
６．  １種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組合せ物を含むことを特徴とする上記１記載の装置。
７.  １種またはそれ以上の被検体がアフラトキシンＢ１、アフラトキシンＧ１、アフラトキシンＱ１、アフラトキシンＢ２、アフラトキシンＧ２、ビスフェノールＡ、２，４−ジクロロフェノキシ酢酸、２，４，５−トリクロロフェノキシ酢酸、４−クロロ−２−メチル酢酸、４−（２，４−ジクロロフェノキシ）酪酸、エストロン、１７−β−エストラジオール、１７−α−エチニルエストラジオール、ラクトフェリン、テストステロン、ノルテストステロン、メトブロムロン、シノスルフロン、トリアスルフロンおよびプロスルフロン、ビンクロゾリン、葉酸、ビタミンＢ12（シアノコバラミン）、フェニトロチオン、クロルピリフォス、ピリミフォス、アドレナリン、ノルアドレナリン、ドーパミン、エストロゲン活性をもった化合物、或いはそれらの組み合わせ物を含むことを特徴とする上記１記載の装置。
８．  １種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、或いはそれらの組み合わせ物を含むことを特徴とする上記１記載の装置。
９．  １種またはそれ以上のリガンドがモノクローナル抗葉酸抗体、モノクローナル抗ビタミンＢ12（シアノコバラミン）抗体、或いはそれらの組み合わせ物を含むことを特徴とする上記１記載の装置。
１０．  １種またはそれ以上のリガンドが組換えヒト・エストロゲン受容体（ｈＥＲ）を含んで成ることを特徴とする上記１記載の装置。
１１．  アフィニティーカラムが管状の連結装置で分析カラムに連結されていることを特徴とする上記１記載の装置。
１２．  分析カラムが逆相高圧液体クロマトグラフ（ＲＰ−ＨＰＬＣ）装置の分析カラムの一部をなしていることを特徴とする上記１記載の装置。
１３．  さらに蛍光検出装置を備えていることを特徴とする上記１２記載の装置。
１４．  硬質の支持体が多数のシリカゲル粒子を含むことを特徴とする上記１記載の装置。
１５．  シリカゲル粒子が、回転楕円体状の形をし、細孔の平均の大きさが約５００〜８００Åであることを特徴とする上記１４記載の装置。
１６．  アフィニティーカラムに使用するのに適した硬質の支持体であって、該硬質の支持体が多数の無機粒子を含んで成り、ここで各粒子は
無機基質；
被検体でない物質およびリガンド特異性被検体物質の無機基質に対する非特異的な結合を減少させるように修飾された基質表面；および
無機基質に結合した１種またはそれ以上のリガンドを含んで成り、該１種またはそれ以上のリガンドはモノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組合せ物を含むことを特徴とする硬質の支持体。
１７．  修飾された基質の表面が無機基質に取り付けられた１種またはそれ以上のＲ10基を含んで成り、各Ｒ10基は独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする上記１６記載の硬質の支持体。
１８．  １種またはそれ以上のＲ10基が２価の部分−Ｘ−を介して無機基質に取り付けられていることを特徴とする上記１７記載の硬質の支持体。
１９．  １種またはそれ以上のリガンドが、無機基質上の反応部位と１種またはそれ以上のリガンド上の官能基との間に連結をつくる一つまたはそれ以上の連結子を介して無機基質に取り付けられていることを特徴とする上記１６記載の硬質の支持体。
２０．  一つまたはそれ以上の連結子がジアルデヒドと組み合わされたアミノ置換シロキサンを含むことを特徴とする上記１９記載の硬質の支持体。
２１．  アミノ置換シロキサンがアミノプロピルトリメトキシシランを含んで成り、ジアルデヒドはグルタルアルデヒドを含むことを特徴とする上記２０記載の硬質の支持体。
２２．  １種またはそれ以上のリガンドは無機基質上の反応部位に直接取り付けられていることを特徴とする上記１６記載の硬質の支持体。
２３．  修飾された基質の表面が反応部位を含んで成り、該反応部位の約５０〜約９９％は修飾を行う前の基質の表面上のどの官能基よりも反応性の低いＲ基で覆われており、該反応部位の約１〜約５０％は１種またはそれ以上のリガンドまたは随時存在する連結子で覆われていることを特徴とする上記１６記載の硬質の支持体。
２４．  反応部位の約７０〜約９５％が修飾を行う前の基質の表面上のどの官能基よりも反応性の低いＲ基で覆われており、該反応部位の約５〜約３０％は１種またはそれ以上のリガンドまたは随時存在する連結子で覆われていることを特徴とする上記２３記載の硬質の支持体。
２５．  １種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、或いはそれらの組み合わせ物を含むことを特徴とする上記１６記載の硬質の支持体。
２６．  １種またはそれ以上のリガンドがモノクローナル抗葉酸抗体、モノクローナル抗ビタミンＢ12（シアノコバラミン）抗体、或いはそれらの組み合わせ物を含むことを特徴とする上記１６記載の硬質の支持体。
２７．  １種またはそれ以上のリガンドが組換えヒト・エストロゲン受容体（ｈＥＲ）を含むことを特徴とする上記１６記載の硬質の支持体。
２８．  硬質の支持体が多数のシリカゲルの粒子を含むことを特徴とする上記１６記載の硬質の支持体。
２９．  シリカゲルの粒子が回転楕円体状の形をし、細孔の平均の大きさが約５００〜８００Åであることを特徴とする上記２８記載の硬質の支持体。
３０．  請求項１６〜２９のいずれか一つに記載された硬質の支持体を含むことを特徴とするアフィニティーカラム。
３１．  流体的に連絡したアフィニティーカラムを具備し、該アフィニティーカラムは上記３０記載のアフィニティーカラムを含んで成ることを特徴とする装置。
３２．  或るカラム容積をもつカラム構造物；および
該カラム構造物のカラム容積の中にある硬質の支持体を備えており、該硬質の支持体は多数の無機粒子を含んで成り、ここで各粒子は  無機基質；
被検体でない物質およびリガンド特異性被検体物質の無機基質に対する非特異的な結合を減少させるように修飾された基質表面；および
無機基質に結合した１種またはそれ以上のリガンドを含んで成り、該１種またはそれ以上のリガンドはモノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組合せ物を含むことを特徴とするアフィニティーカラム。
３３．  修飾された基質の表面が無機基質に取り付けられた１種またはそれ以上のＲ10基を含んで成り、各Ｒ10基が独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする上記３２記載のアフィニティーカラム。
３４．  １種またはそれ以上のＲ10基が２価の部分−Ｘ−を介して無機基質に取り付けられていることを特徴とする上記３３記載のアフィニティーカラム。
３５．  １種またはそれ以上のリガンドが、無機基質上の反応部位と１種またはそれ以上のリンド上の官能基との間に連結をつくる一つまたはそれ以上の連結子を介して無機基質に取り付けられていることを特徴とする上記３２記載のアフィニティーカラム。
３６．  一つまたはそれ以上の連結子がジアルデヒドと組み合わされたアミノ置換シロキサンを含むことを特徴とする上記３５記載のアフィニティーカラム。
３７．  アミノ置換シロキサンがアミノプロピルトリメトキシシランを含み、ジアルデヒドはグルタルアルデヒドを含むことを特徴とする上記３６記載のアフィニティーカラム。
３８.  １種またはそれ以上のリガンドが無機基質上の反応部位に直接取り付けられていることを特徴とする上記項３２記載のアフィニティーカラム。
３９．  修飾された基質の表面が反応部位を含んで成り、該反応部位の約５０〜約９９％が修飾を行う前の基質の表面上のどの官能基よりも反応性の低いＲ基で覆われており、該反応部位の約５０〜約１％が１種またはそれ以上のリガンドまたは随時存在する連結子で覆われていることを特徴とする上記３２記載のアフィニティーカラム。
４０．  反応部位の約７０〜約９５％が修飾を行う前の基質の表面上のどの官能基よりも反応性の低いＲ基で覆われており、該反応部位の約３０〜約５％が１種またはそれ以上のリガンドまたは随時存在する連結子で覆われていることを特徴とする上記３９記載のアフィニティーカラム。
４１．  １種またはそれ以上のリガンドが、モノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、或いはそれらの組み合わせ物を含むことを特徴とする上記３２記載のアフィニティーカラム。
４２．  １種またはそれ以上のリガンドがモノクローナル抗葉酸抗体、モノクローナル抗ビタミンＢ12（シアノコバラミン）抗体、或いはそれらの組み合わせ物を含むことを特徴とする上記３２記載のアフィニティーカラム。
４３．  １種またはそれ以上のリガンドが組換えヒト・エストロゲン受容体（ｈＥＲ）を含むことを特徴とする上記３２記載のアフィニティーカラム。
４４．  硬質の支持体が多数のシリカゲルの粒子を含むことを特徴とする上記３２記載のアフィニティーカラム。
４５．  シリカゲルの粒子が回転楕円体状の形をし、細孔の平均の大きさが約５００〜８００Åであることを特徴とする請求項４４記載のアフィニティーカラム。
４６．  流体的に連絡したアフィニティーカラムを備え、該アフィニティーカラムが請求項３０、および３２〜４５のいずれか一つに記載されたアフィニティーカラムであることを特徴とする装置。
４７．  試験試料を分析する方法であって、試験試料を上記１〜４６のいずれか一つに記載された装置、硬質の支持体、またはアフィニティーカラムと接触させる段階を含んで成ることを特徴とする方法。
４８．  溶離試料を分析する方法であって、溶離試料をアフィニティーカラムから該アフィニティーカラムと流体的に連絡している分析カラムへと移動させ、分析カラムの内容を分析して溶離試料中における１種またはそれ以上の被検体の存在を決定する段階を含んで成ることを特徴とする方法。
４９．  溶離試料が溶媒中に１種またはそれ以上の被検体を含んで成り、該１種またはそれ以上の被検体がアフラトキシンＢ１、アフラトキシンＧ１、アフラトキシンＱ１、アフラトキシンＢ２、アフラトキシンＧ２、ビスフェノールＡ、２，４−ジクロロフェノキシ酢酸、２，４，５−トリクロロフェノキシ酢酸、４−クロロ−２−メチル酢酸、４−（２，４−ジクロロフェノキシ）酪酸、エストロン、１７−β−エストラジオール、１７−α−エチニルエストラジオール、ラクトフェリン、テストステロン、ノルテストステロン、メトブロムロン、シノスルフロン、トリアスルフロンおよびプロスルフロン、ビンクロゾリン、葉酸、ビタミンＢ12（シアノコバラミン）、フェニトロチオン、クロルピリフォス、ピリミフォス、アドレナリン、ノルアドレナリン、ドーパミン、エストロゲン活性をもった化合物、或いはそれらの組み合わせ物から成る群から選ばれることを特徴とする上記４８記載の方法。
５０．  溶離試料が少なくとも１種のマイコトキシンを検出し得る量で含んで成っていることを特徴とする上記４９記載の方法。
５１．  溶離試料がアフラトキシンＢ１、アフラトキシンＧ１、アフラトキシンＱ１、アフラトキシンＢ２、アフラトキシンＧ２、またはそれらの組み合わせ物を検出し得る量で含むことを特徴とする上記４９記載の方法。
５２．  溶離試料が葉酸、ビタミンＢ12（シアノコバラミン）、またはそれらの組み合わせ物を検出し得る量で含むことを特徴とする上記４９記載の方法。
５３．  溶離試料が少なくとも１種のエストロゲン活性をもった化合物を検出し得る量で含むことを特徴とする上記４９記載の方法。
５４．  移動段階が溶離試料に流体の圧力をかけ溶離試料をアフィニティーカラムから分析カラムへと運ぶことを含んで成ることを特徴とする上記４８記載の方法。
５５．  ポンプによって流体の圧力をかけることを特徴とする上記５４記載の方法。
５６．  分析段階が溶離試料中における１種またはそれ以上の被検体の存在を検出し、１種またはそれ以上の被検体を互いに分離し、溶離試料中の１種またはそれ以上の被検体またはそれらの組み合わせ物を定量する段階を含んで成ることを特徴とする上記４８記載の方法。
５７．  分析段階が溶離試料に対して逆相高圧液体クロマトグラフ（ＲＰ−ＨＰＬＣ）法、蛍光検出法、またはその両方を適用することを特徴とする上記５６記載の方法。
５８．  アフィニティーカラムが最高約３００バールのカラム圧力に耐え得る硬質の支持体を含み、該硬質の支持体はそれに結合した１種またはそれ以上のリガンドを有し、該１種またはそれ以上のリガンドは試験試料の内部で１種またはそれ以上の被検体に選択的に結合することができることを特徴とする上記４８〜５７のいずれか一つに記載された方法。
５９．  硬質の支持体が多数の無機粒子を含むことを特徴とする上記５８記載の方法。
６０．  各無機粒子が無機基質；および被検体でない物質およびリガンド特異性被検体物質の無機基質に対する非特異的な結合を減少させるように修飾された基質の表面を備えていることを特徴とする上記５９記載の方法。
６１．  修飾された基質の表面が無機基質に取り付けられた１種またはそれ以上のＲ10基を含んで成り、各Ｒ10基は独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする上記６０記載の方法。
６２．  各Ｒ10基が−ＣＨ2ＯＨを含むことを特徴とする上記６１記載の方法。
６３．  １種またはそれ以上のＲ10基が２価の部分−Ｘ−を介して無機基質に取り付けられていることを特徴とする上記６１記載の方法。
６４．  １種またはそれ以上のリガンドが、無機基質上の反応部位と１種またはそれ以上のリガンド上の官能基との間に連結をつくる一つまたはそれ以上の連結子を介して無機基質に取り付けられていることを特徴とする上記５８記載の方法。
６５．  該一つまたはそれ以上の連結子がジアルデヒドと組み合わされたアミノ置換シロキサンを含むことを特徴とする上記６４記載の方法。
６６．  アミノ置換シロキサンがアミノプロピルトリメトキシシランを含み、ジアルデヒドがグルタルアルデヒドを含むことを特徴とする上記６５記載の方法。
６７．  １種またはそれ以上のリガンドが無機基質上の反応部位に直接取り付けられていることを特徴とする上記５８記載の方法。
６８．  修飾された基質の表面が反応部位を備えており、該反応部位の約５０〜約９９％が修飾を行う前の基質の表面上のどの官能基よりも反応性の低いＲ基で覆われており、該反応部位の約５０〜約１％は１種またはそれ以上のリガンドまたは随時存在する連結子で覆われていることを特徴とする上記６０記載の方法。
６９．  反応部位の約７０〜約９５％が修飾を行う前の基質の表面上のどの官能基よりも反応性の低いＲ基で覆われており、該反応部位の約３０〜約５％が１種またはそれ以上のリガンドまたは随時存在する連結子で覆われていることを特徴とする上記６８記載の方法。
７０．  硬質の支持体が多数のシリカゲルの粒子を含んで成っていることを特徴とする上記５９記載の方法。
７１．  シリカゲルの粒子が回転楕円体状の形をし、細孔の平均の大きさが約５００〜８００Åであることを特徴とする上記７０記載の方法。
７２．  試験試料を最高約２００バールのカラム圧力に耐え得る硬質の物質を含むアフィニティーカラムの中に導入し、ここで該支持体はそれに結合した１種またはそれ以上のリガンドを有しており、且つ該１種またはそれ以上のリガンドは１種またはそれ以上の被検体に特異的に結合することができ；
試験試料を硬質の支持体およびその上のリガンドと接触させ；
硬質の支持体を濯いで該１種またはそれ以上の被検体以外の試験試料の成分を洗滌し去り；
溶離溶液をアフィニティーカラムの中に導入して溶離溶液が硬質の支持体の上のリガンドに結合した１種またはそれ以上の被検体と接触させ；
或る期間の間溶離溶液を硬質の支持体と接触させたままにして溶離試料をつくる段階をさらに含んで成ることを特徴とする上記４８〜７１のいずれか一つに記載された方法。
７３．  期間が約５分〜約１５分の範囲であることを特徴とする上記７２記載の方法。
７４．  第１の緩衝溶液をアフィニティーカラムの中に急激に流し；
第２の試験試料をアフィニティーカラムの中に導入する段階をさらに含んで成ることを特徴とする上記７２記載の方法。
７５．  少なくとも１種のマイコトキシンを潜在的に含む溶離試料を分析する方法であって、
溶離試料をアフィニティーカラムから該アフィニティーカラムと流体的に連絡している分析カラムへ移動させ、
分析カラムの内容を分析して溶離試料中における少なくとも１種のマイコトキシンの存在を決定する段階を含んで成ることを特徴とする方法。
７６．  溶離試料がアフラトキシンＢ１、アフラトキシンＧ１、アフラトキシンＱ１、アフラトキシンＢ２、アフラトキシンＧ２、またはそれらの組み合わせ物を検出し得る量で含んで成っていることを特徴とする上記７５記載の方法。
７７．  葉酸、ビタミンＢ12（シアノコバラミン）、またはそれらの組み合わせ物を潜在的に含む溶離試料を分析する方法であって、
溶離試料をアフィニティーカラムから該アフィニティーカラムと流体的に連絡している分析カラムへ移動させ、
分析カラムの内容を分析して溶離試料中における葉酸、ビタミンＢ12（シアノコバラミン）、または両者の存在を決定する段階を含んで成ることを特徴とする方法。
７８．  少なくとも１種のエストロゲン活性をもつ化合物を潜在的に含む溶離試料を分析する方法であって、
エストロゲン活性をもった１種またはそれ以上の化合物に選択的に結合し得る１種またはそれ以上のリガンドが結合した硬質の支持体を含むアフィニティーカラムの中に試験試料を導入する段階を含んで成ることを特徴とする上記方法。
７９．  １種またはそれ以上のリガンドが生のヒト・エストロゲン受容体、組換えヒト・エストロゲン受容体（ｈＥＲ）またはそれらの誘導体、エストロゲン受容体の生物活性部分を模倣した組換え蛋白質またはその誘導体、或いは生物活性をもつ化合物を内分泌阻害剤として選択的に認識する他のリガンドを含んで成ることを特徴とする上記７８記載の方法。
８０．  １種またはそれ以上のリガンドが組換えヒト・エストロゲン受容体（ｈＥＲ）を含むことを特徴とする上記７８記載の方法。
８１．  試験試料を硬質の支持体およびその上にあるリガンドと接触させ；
硬質の支持体を濯いで試験試料のエストロゲン活性を示さない成分を洗滌し去り；
溶離溶液をアフィニティーカラムに導入し、溶離溶液を硬質の支持体上のリガンドに結合した１種またはそれ以上のエストロゲン活性をもつ化合物と接触させ；
或る期間の間溶離溶液を硬質の支持体と接触させたままにしてエストロゲン活性をもつ化合物を含んだ溶離試料をつくり；
分析カラムの内容を分析して溶離試料中におけるエストロゲン活性をもった１種またはそれ以上の化合物の存在を決定する段階をさらに含んで成ることを特徴とする上記７８記載の方法。
８２．  硬質の支持体が最高約２００バールのカラムの圧力に耐えることができ、アフィニティーカラムが分析カラムと流体的に連絡していることを特徴とする上記８１記載の方法。
８３．  少なくとも１種の被検体を潜在的に含む試験試料を分析する方法であって、
多数の無機粒子を含んで成る硬質の支持体を含むアフィニティーカラムの中に試験試料を導入し、ここで各粒子は
無機基質；
被検体でない物質およびリガンド特異性被検体物質の無機基質に対する非特異的な結合を減少させるように修飾された基質表面；および；
無機基質に結合した１種またはそれ以上のリガンドを含んで成り、該１種またはそれ以上のリガンドはモノクローナル抗アフラトキシンＢ１抗体、モノクローナル抗アフラトキシンＧ１抗体、モノクローナル抗アフラトキシンＱ１抗体、モノクローナル抗アフラトキシンＢ２抗体、モノクローナル抗アフラトキシンＧ２抗体、モノクローナル抗ビスフェノールＡ抗体、モノクローナル抗２，４−ジクロロフェノキシ酢酸抗体、モノクローナル抗２，４，５−トリクロロフェノキシ酢酸抗体、モノクローナル抗４−クロロ−２−メチル酢酸抗体、モノクローナル抗４−（２，４−ジクロロフェノキシ）酪酸抗体、モノクローナル抗エストロン抗体、モノクローナル抗１７−β−エストラジオール抗体、モノクローナル抗１７−α−エチニルエストラジオール抗体、モノクローナル抗ラクトフェリン抗体、モノクローナル抗テストステロン抗体、モノクローナル抗ノルテストステロン抗体、モノクローナル抗フェニル尿素抗体、モノクローナル抗ビンクロゾリン抗体、モノクローナル抗葉酸抗体、モノクローナル抗ビタミンＢ12（シアノコバラミン）抗体、モノクローナル抗フェニトロチオン抗体、モノクローナル抗クロルピリフォス抗体、モノクローナル抗ピリミフォス抗体、モノクローナル抗カテコールアミン抗体、組換えヒト・エストロゲン受容体（ｈＥＲ）、およびこれらの組み合わせ物を含み；
試験試料を硬質の支持体およびその上にあるリガンドと接触させ；
硬質の支持体を濯いで試験試料のエストロゲン活性を示さない成分を洗滌し去り；
溶離溶液をアフィニティーカラムに導入し、溶離溶液を硬質の支持体上のリガンドに結合した１種またはそれ以上のエストロゲン活性をもつ化合物と接触させ；
或る期間の間溶離溶液を硬質の支持体と接触させたままにしてエストロゲン活性をもつ化合物を含んだ溶離試料をつくり；
分析カラムの内容を分析して溶離試料中における１種またはそれ以上の被検体の存在を決定する段階を含んで成ることを特徴とする方法。
８４．  修飾された基質の表面が無機基質に取り付けられた１種またはそれ以上のＲ10基を含み、各Ｒ10基が独立に−ＣＨ2ＯＨ、−ＣＨ（ＯＨ）2、−ＣＨ（ＯＨ）ＣＨ3、−ＣＨ2ＣＨ2ＯＨ、−Ｃ（ＯＨ）2ＣＨ3、−ＣＨ2ＣＨ（ＯＨ）2および−ＣＨ（ＯＨ）ＣＨ2（ＯＨ）から成る群から選ばれることを特徴とする上記８３記載の方法。
８５．  １種またはそれ以上のＲ10基が２価の部分−Ｘ−を介して無機基質に取り付けられていることを特徴とする上記８４記載の方法。
８６．  １種またはそれ以上のリガンドが、無機基質上の反応部位と１種またはそれ以上のリガンド上の官能基との間に連結をつくる一つまたはそれ以上の連結子を介して無機基質に結合していることを特徴とする上記８３記載の方法。
８７．  一つまたはそれ以上の連結子がジアルデヒドと組み合わされたアミノ置換シロキサンを含むことを特徴とする上記８６記載の方法。
８８．  アミノ置換シロキサンがアミノプロピルトリメトキシシランを含み、ジアルデヒドはグルタルアルデヒドを含むことを特徴とする上記８７記載の方法。
８９．  １種またはそれ以上のリガンドが無機基質上の反応部位に直接取り付けられていることを特徴とする上記８３記載の方法。
９０．  修飾された基質の表面が反応部位を備えており、該反応部位の約５０〜約９９％が修飾を行う前の基質の表面上のどの官能基よりも反応性の低いＲ基で覆われており、該反応部位の約５０〜約１％が１種またはそれ以上のリガンドまたは随時存在する連結子で覆われていることを特徴とする上記８３記載の方法。
９１．  反応部位の約７０〜約９５％が修飾を行う前の基質の表面上のどの官能基よりも反応性の低いＲ基で覆われており、該反応部位の約３０〜約５％は１種またはそれ以上のリガンドまたは随時存在する連結子で覆われていることを特徴とする上記９０記載の方法。
９２．  無機粒子が多数のシリカゲルの粒子を含むことを特徴とする上記８３記載の方法。
９３．  シリカゲルの粒子が回転楕円体状の形をし、平均の細孔の大きさが約５００〜８００Åであることを特徴とする上記９２記載の方法。
９４．  無機基質を含む硬質の支持体を製造する方法であって、次の段階：即ち
（１）無機基質の表面の少なくとも第１の部分にＲ基を取り付け、ここで該Ｒ基はこの取り付け段階の前においては無機基質の表面上にあるどの官能基よりも低い反応性をもっており；
（２）アルデヒド官能基を含む少なくとも一つの連結子を無機基質の少なくとも第２の部分に取り付け；
（３）１種またはそれ以上のリガンドを一つまたはそれ以上の連結子に選択的に結合させる段階を含んで成ることを特徴とする方法。
９５．  段階（２）が段階（１）の前に行われる上記９４記載の方法。
９６．  一つまたはそれ以上の連結子がジアルデヒドと組み合わされたアミノ置換シロキサンを含むことを特徴とする上記９４記載の方法。
９７．  アミノ置換シロキサンがアミノプロピルトリメトキシシランを含み、ジアルデヒドがグルタルアルデヒドを含むことを特徴とする上記９６記載の方法。
９８．  アフィニティーカラムを製造する方法であって、次の段階、即ち：
（１）管状の構造物の第１の端を密封し；
（２）該管状の構造物のカラムのキャビティーに、請求項１６〜２９のいずれか一つに記載された硬質の支持体、或いは請求項９４〜９７のいずれか一つに記載された方法でつくられた硬質の支持体を充填し；
（３）該管状の構造物のカラムのキャビティーに第１の緩衝溶液を少なくとも部分的に充填して硬質の支持体物質を包み込み；
（４）管状の構造物の反対側の端を密封する段階を含んで成ることを特徴とする上記方法。